(57)【特許請求の範囲】
【請求項１】
標本からの光を通過させる対物レンズと、該対物レンズを通過した光を結像する結像レンズとを保持する顕微鏡本体と、
前記対物レンズと前記結像レンズとの間に配置され、前記顕微鏡本体に対して着脱可能な第１の光学装置と、
前記第１の光学装置に照明光を導入し、且つ／又は、前記第１の光学装置から観察光を取り出すための第２の光学装置であって、前記第１の光学装置と接続される接続部を有する第２の光学装置と、
を備え、
前記顕微鏡本体に開口部が設けられ、
前記第１の光学装置には、開口が設けられ、前記第１の光学装置は、前記顕微鏡本体の前記対物レンズの光軸に対して前記開口の中心軸が位置決めされた状態で前記顕微鏡本体に固定可能であり、
前記第２の光学装置は、前記接続部を前記開口部に貫通させて前記第１の光学装置と接続することにより、前記第１の光学装置の前記開口の中心軸に対して前記照明光又は前記観察光の光軸が位置決めされた状態で前記第１の光学装置に固定可能であることを特徴とする倒立顕微鏡。
【請求項２】
前記開口部は、前記顕微鏡本体の背面に設けられていることを特徴とする請求項１に記載の倒立顕微鏡。
【請求項３】
前記第２の光学装置は、前記顕微鏡本体に固定されることを特徴とする請求項１に記載の倒立顕微鏡。
【請求項４】
前記顕微鏡本体は、互いに異なる外形を有する複数の第１の光学装置のいずれかを装着可能であることを特徴とする請求項１〜３のいずれか１項に記載の倒立顕微鏡。
【請求項５】
前記顕微鏡本体は、前記第１の光学装置を前記対物レンズの光軸の方向に沿って複数装着可能であることを特徴とする請求項１〜３のいずれか１項に記載の倒立顕微鏡。
【請求項６】
前記開口部は、前記接続部を一括して複数挿通可能な形状をなすことを特徴とする請求項４又は５に記載の倒立顕微鏡。
【請求項７】
前記開口部は、前記顕微鏡本体に複数設けられていることを特徴とする請求項４又は５に記載の倒立顕微鏡。
【発明の詳細な説明】
【技術分野】
【０００１】
本発明は、観察対象である標本を下方から観察する倒立顕微鏡に関する。
【背景技術】
【０００２】
従来、対物レンズと結像レンズとの間に、光路を分岐するミラーユニット等の光学系を構成する新たな光学装置を装着可能な倒立顕微鏡が提案されている。例えば特許文献１には、標本を載置するステージと該ステージを支持するステージ支持部材との間にスペーサ部材を配置することでステージを嵩上げし、嵩上げによって設けられた空間を利用して、対物レンズと結合レンズとの間に新たな光学装置を装着する倒立顕微鏡が開示されている。
【先行技術文献】
【特許文献】
【０００３】
【特許文献１】特開平１１−７２７１５号公報
【発明の概要】
【発明が解決しようとする課題】
【０００４】
ところで、新たな光学装置を装着可能な従来の倒立顕微鏡においては、光学装置を顕微鏡本体に取り付けると共に、該光学装置に照明光を導入する照明装置の投光管を顕微鏡本体に取り付ける構造となっている。このため、光学装置及び照明装置（以下、これらを単にユニットともいう）を顕微鏡本体に取り付けるために、多くの部品が必要である。
【０００５】
また、顕微鏡の光学性能を十分に発揮させるためには、対物レンズの光軸に対する光学装置及び投光管の高い位置決め精度が要求されるが、新たな光学装置を装着可能な従来の倒立顕微鏡の構造では、多くの部品を介して位置決めを行うことになるため、位置決め精度を出すことが困難である。そのため、各ユニットの顕微鏡本体への取り付け部を構成する部品に対し、厳しい精度管理や調整が必要となってしまう。さらに、顕微鏡本体側においても、光学装置及び照明装置の取り付け部の精度調整が必須となり、顕微鏡本体の製造工程が煩雑となってしまう。
【０００６】
加えて、新たな光学装置を装着可能な従来の倒立顕微鏡の構造では、顕微鏡本体に対して光学装置や照明装置をそれぞれ取り付けるので、取り付け位置が固定されてしまい、ユニット設計の自由度が低くなってしまう。
【０００７】
本発明は、上記に鑑みてなされたものであって、顕微鏡本体に対して光学装置の着脱が可能な倒立顕微鏡において、顕微鏡本体内に装着される光学装置と、該光学装置に照明光の導入等を行う別の光学装置との間の高い位置決め精度を保ちつつ、ユニット設計の自由度が高い倒立顕微鏡を提供することを目的とする。
【課題を解決するための手段】
【０００８】
上述した課題を解決し、目的を達成するために、本発明に係る倒立顕微鏡は、標本からの光を通過させる対物レンズと、該対物レンズを通過した光を結像する結像レンズとを保持する顕微鏡本体と、前記対物レンズと前記結像レンズとの間に配置され、前記顕微鏡本体に対して着脱可能な第１の光学装置と、前記第１の光学装置に照明光を導入し、且つ／又は、前記第１の光学装置から観察光を取り出すための第２の光学装置であって、前記第１の光学装置と接続される接続部を有する第２の光学装置と、を備え、前記顕微鏡本体に開口部が設けられ、前記第２の光学装置は、前記接続部を前記開口部に貫通させて前記第１の光学装置と接続することにより、前記第１の光学装置に対して位置決めされることを特徴とする。
【０００９】
上記倒立顕微鏡において、前記接続部は、前記第１の光学装置に嵌合されることを特徴とする。
上記倒立顕微鏡において、前記第２の光学装置は、前記顕微鏡本体に固定されることを特徴とする。
【００１０】
上記倒立顕微鏡において、前記顕微鏡本体は、互いに異なる外形を有する複数の第１の光学装置のいずれかを装着可能であることを特徴とする。
上記倒立顕微鏡において、前記顕微鏡本体は、前記第１の光学装置を複数装着可能であることを特徴とする。
【００１１】
上記倒立顕微鏡において、前記開口部は、前記接続部を一括して複数挿通可能な形状をなすことを特徴とする。
上記倒立顕微鏡において、前記開口部は、前記顕微鏡本体に複数設けられていることを特徴とする。
【発明の効果】
【００１２】
本発明によれば、第２光学装置の接続部を顕微鏡の顕微鏡本体に設けられた開口を貫通させ、顕微鏡本体の内部に装着される第１の光学装置に接続して、第１光学装置と第２光学装置とを直接位置決めするので、両光学装置間の高い位置決め精度を維持しつつ、ユニット設計の自由度を向上させることが可能となる。
【図面の簡単な説明】
【００１３】
【図１】図１は、本発明の実施の形態１に係る倒立顕微鏡を模式的に示す側面図である。
【図２】図２は、図１に示す顕微鏡本体を背面側から見た平面図である。
【図３】図３は、図１に示す蛍光ミラーターレットを背面側から見た平面図である。
【図４】図４は、ターレット取り付け部を拡大して示す斜視図である。
【図５】図５は、図１のＡ−Ａ断面図である。
【図６】図６は、変形例１に係る倒立顕微鏡の構成を模式的に示す側面図である。
【図７】図７は、図６に示す顕微鏡本体を背面側から見た平面図である。
【図８】図８は、変形例２に係る倒立顕微鏡の構成を模式的に示す側面図である。
【図９】図９は、図８に示す顕微鏡本体を背面側から見た平面図である。
【図１０】図１０は、変形例３に係る倒立顕微鏡の構成を模式的に示す側面図である。
【図１１】図１１は、図１０に示す顕微鏡本体を背面側から見た平面図である。
【図１２】図１２は、変形例４に係る倒立顕微鏡の構成を模式的に示す側面図である。
【図１３】図１３は、図１２に示す顕微鏡本体を背面側から見た平面図である。
【図１４】図１４は、図１２のＢ−Ｂ断面図である。
【図１５】図１５は、変形例５に係る倒立顕微鏡の構成を模式的に示す側面図である。
【図１６】図１６は、変形例６に係る倒立顕微鏡の構成を模式的に示す側面図である。
【発明を実施するための形態】
【００１４】
以下、本発明の実施の形態について、図面を参照しながら説明する。なお、これら実施の形態によって本発明が限定されるものではない。また、各図面の記載において、同一部分には同一の符号を付して示している。図面は模式的なものであり、各部の寸法の関係や比率は、現実と異なることに留意する必要がある。図面の相互間においても、互いの寸法の関係や比率が異なる部分が含まれる。
【００１５】
（実施の形態１）
図１は、本発明の実施の形態１に係る倒立顕微鏡を模式的に示す側面図である。
図１に示すように、倒立顕微鏡１００は、観察対象である試料Ｓを下方から観察する顕微鏡であって、顕微鏡本体１と、顕微鏡本体１に支持されたステージ２と、ステージ２の上に載置された試料Ｓに照明光を照射する透過照明装置３及び落射照明装置４とを備える。
【００１６】
顕微鏡本体１は、全体として箱状を呈している。この顕微鏡本体１には、上部に載置された鏡筒５と、鏡筒５に取り付けられ、試料Ｓの観察像を目視観察するための接眼部６と、複数の対物レンズ７ａを保持するレボルバ７とが設けられている。また、顕微鏡本体１の内部には、観察光学系１０の一部をなす結像レンズ１０ａ、ミラー１０ｂ、及びリレーレンズ１０ｃが取り付けられている。なお、以下においては、鏡筒５が設けられた側（図１においては左側）の面を倒立顕微鏡１００の正面とし、その反対側（図１においては右側）の面を倒立顕微鏡１００の背面とする。
【００１７】
レボルバ７は回転可能に設けられており、レボルバ７に装着された対物レンズ７ａのうち一の対物レンズ７ａが光軸Ｌ１上に配置される。
【００１８】
観察光学系１０は、試料Ｓの観察を可能にするもので、顕微鏡本体１及び鏡筒５にわたって設けられている。観察光学系１０は、上述した対物レンズ７ａ、結像レンズ１０ａ、ミラー１０ｂ、リレーレンズ１０ｃ、及び鏡筒５内に設けられた結像レンズ１０ｄを含む。対物レンズ７ａを通過することにより平行光束となった観察光は、結像レンズ１０ａを通過することにより結像し、ミラー１０ｂ、リレーレンズ１０ｃを経由して鏡筒５に入射し、結像レンズ１０ｄを通過することにより結像する。ユーザは、接眼部６を覗くことにより、観察光（即ち、試料Ｓの観察像）を観察することができる。
【００１９】
顕微鏡本体１の中央付近、即ち、対物レンズ７ａと結像レンズ１０ａとの間には、顕微鏡本体１を一方の側面の側からくり抜いたスペース１５が設けられている。また、スペース１５の上部には、照明光及び観察光が通過可能な貫通孔１５ａが設けられている。
【００２０】
スペース１５には、顕微鏡本体１に対して着脱可能な光学装置の一例として、蛍光ミラーターレット８が装着されている。蛍光ミラーターレット８は、ターレット本体部２０と、落射照明装置４が接続される落射照明装置取り付け部２１とを有する。ターレット本体部２０は、落射照明装置４から入射した照明光又は対物レンズ７ａを透過した観察光に対して、所定波長成分を反射及び／又は透過させる蛍光ミラーユニット８ａを内蔵している。なお、蛍光ミラーターレット８と落射照明装置４との接続部の詳細な構造については後述する。
【００２１】
また、顕微鏡本体１の背面、即ち、蛍光ミラーターレット８の配設位置の後方には開口部９が設けられている。図２は、顕微鏡本体１を背面側から見た平面図であり、落射照明装置４を取り外した状態を示している。開口部９の径は、顕微鏡本体１の剛性を極力低下させることなく、且つ、落射照明装置４のターレット取り付け部３１（後述）は貫通可能であるが、落射照明装置４の光源本体部３０は貫通させない程度の必要最小限の大きさに設定されている。なお、開口部９の径は、蛍光ミラーターレット８の落射照明装置取り付け部２１の内周の径よりも大きいため、開口部９の内周側には、落射照明装置取り付け部２１の一部が示されている。また、開口部９の円周上には、落射照明装置４の光軸Ｌ２を中心とする回転方向における位置決めを行うための位置決め溝９ａが、外周側に向かって設けられている。
【００２２】
ステージ２は、上面と下面とがそれぞれ平坦な板状体であって、その上面に試料Ｓが載置される。ステージ２のほぼ中央には、試料Ｓが落下しない程度の開口（透孔）が設けてあり、照明光及び観察光が通過するようになっている。また、ステージ２には、対物レンズ７ａの焦点を標本に合わせるための準焦装置（図示せず）が設けられており、準焦装置を操作することにより、ステージ２が昇降し、対物レンズ７ａの焦点を試料Ｓに合焦することができる。
【００２３】
顕微鏡本体１の上部には、透過照明装置３、透過投光装置１１、及び集光レンズ保持部１２を支持するアーム１４が設けられている。透過照明装置３から出射した照明光は、透過投光装置１１が内蔵するミラー１１ａによって光路を折り曲げられ、集光レンズ保持部１２に保持された集光レンズ１４によって試料Ｓに集光される。このようにして試料Ｓに照射され、試料Ｓを透過した光は、対物レンズ７ａに入射して、観察光学系１０に入射する。
【００２４】
次に、蛍光ミラーターレット８と落射照明装置４との間の取り付け構造について説明する。
図３は、蛍光ミラーターレット８を倒立顕微鏡１００の背面側から見た平面図である。ターレット本体部２０には、落射照明装置４から出射した照明光を導入するための開口８ｂが設けられており、落射照明装置取り付け部２１は、この開口８ｂの周囲に設けられている。落射照明装置４は、光軸Ｌ２を開口８ｂの中心軸に一致させるように取り付けられる。また、蛍光ミラーターレット８の上面及び下面には、対物レンズ７ａの光軸Ｌ１に沿って照明光及び観察光が貫通可能な開口（図示せず）が設けられている。
【００２５】
落射照明装置取り付け部２１の端面２２は開口８ｂの中心軸と直交している。この端面２２は、落射照明装置４の光軸Ｌ２方向における位置決めを行うための当て付け基準面となっている。また、落射照明装置取り付け部２１の内周面２３は、落射照明装置４の光軸Ｌ２と直交する面内における位置決めを行うための基準面となっている。
【００２６】
ターレット本体部２０の外側には、アリ溝式等による位置決め機構（図示せず）が設けられている。蛍光ミラーターレット８は、この位置決め機構により、顕微鏡本体１の所定位置、即ち、対物レンズ７ａの光軸Ｌ１が蛍光ミラーユニット８ａの反射面と開口８ｂの中心軸（即ち光軸Ｌ２）とが交差する位置を通るように位置決めされて固定される。
【００２７】
また、ターレット本体部２０の落射照明装置取り付け部２１近傍には、該落射照明装置取り付け部２１内と嵌合された落射照明装置４をビスにより固定するためのビス孔２４及び雌ネジ部２５が設けられている。なお、図３には、ビス孔２４及び雌ネジ部２５を１箇所のみに示しているが、これらを落射照明装置取り付け部２１の近傍の複数箇所に設けても良い。
【００２８】
一方、落射照明装置４は、光源本体部３０と、該落射照明装置４を蛍光ミラーターレット８に取り付けるためのターレット取り付け部３１とを有する。ターレット取り付け部３１は、開口部９を貫通して蛍光ミラーターレットと接続される接続部である。
【００２９】
図４は、ターレット取り付け部３１を拡大して示す斜視図である。ターレット取り付け部３１の外形は、同心で互いに半径が異なる円柱を複数段積み上げた形状をなしている。また、ターレット取り付け部３１の内周は、落射照明装置３０から出射した照明光を通過させる投光管４ａとなっている。なお、図１においては、ターレット取り付け部３１の詳細な形状は省略している。
【００３０】
ターレット取り付け部３１には、顕微鏡本体１の開口部９に挿入される開口挿入部３２が設けられている。この開口挿入部３２の底面近傍（図１における顕微鏡本体１の背面側に相当）には位置決めピン３３が設けられている。この位置決めピン３３を位置決め溝９ａに嵌合させることにより、光軸Ｌ２を中心とする回転方向における落射照明装置４の位置決めを行うことができる。また、開口挿入部３２の端面３４は、蛍光ミラーターレット８の落射照明装置取り付け部２１の端面（当て付け基準面）２２に当て付けられる当て付け面となっている。
【００３１】
開口挿入部３２には、蛍光ミラーターレット８の開口８ｂに挿入され、落射照明装置取り付け部２１と嵌合するターレット挿入部３５が設けられている。ターレット挿入部３５の側面３６は、落射照明装置取り付け部２１の内周面（当接基準面）２３と当接する当接面となっている。また、開口挿入部３２の側面の一部には、落射照明装置４を蛍光ミラーターレット８に固定する際にビスを当接させるＶ溝３７が一周にわたって設けられている。
【００３２】
投光管４ａの先端（先端部３８の内周）には、光源本体部３０から出射した照明光を蛍光ミラーターレット８に入射させる照明光学系として、視野絞り投影レンズ３９が配置されている。
【００３３】
次に、落射照明装置４の蛍光ミラーターレット８への取り付け方法について説明する。図５は、図１のＡ−Ａ断面図である。
まず、落射照明装置４の位置決めピン３３の向きを位置決め溝９ａの側に合わせ、ターレット取り付け部３１を光軸Ｌ２に沿って開口部９内に挿入する。さらに、ターレット挿入部３５を落射照明装置取り付け部２１の開口８ｂ内に挿入し、端面３４が落射照明装置取り付け部２１の端面（当て付け基準面）２２に当て付くまで、ターレット取り付け部３１を押し込む。そして、端面３４が端面２２に当て付いた状態で、ビス孔２４からビス２６を挿入し、雌ネジ部２５に螺合させてＶ溝３７に押し当てる。それにより、蛍光ミラーターレット８の開口８ｂの中心軸に対して光軸Ｌ２を一致させた状態で、落射照明装置４が固定される。
【００３４】
以上説明したように、本実施の形態によれば、落射照明装置４を、顕微鏡本体１ではなく、蛍光ミラーターレット８に対して直接位置決めして固定するので、余計な部品を介することなく、両者を高い精度で位置決めすることが可能となる。
【００３５】
また、本実施の形態によれば、顕微鏡本体１に対して落射照明装置４を位置決めして固定するための部品や構造を顕微鏡本体１側に設ける必要がなくなり、これらの部品や構造の精度調整も不要となる。このため、顕微鏡本体１の原価を抑制することができる。従って、落射照明装置４を使用する必要のないユーザに対し、必要最小限のコストで倒立顕微鏡１００を提供することが可能となる。
【００３６】
また、本実施の形態によれば、落射照明装置４を蛍光ミラーターレット８に直接取り付けるので、両者間での取り付け構造のみ整合していれば、本体部については任意の構造を採用することができる。従って、ユニット設計の自由度を向上させることが可能となる。
【００３７】
また、本実施の形態によれば、落射照明装置４の光軸Ｌ２回りの方位を決定するための位置決め機構としての位置決め溝９ａを顕微鏡本体１の背面に設けたので、落射照明装置４を取り付ける際の視認性が向上し、落射照明装置４を容易に装着することが可能となる。
【００３８】
（変形例１）
次に、本実施の形態の変形例１について説明する。
図６は、変形例１に係る倒立顕微鏡の構成を模式的に示す側面図である。図６に示す倒立顕微鏡１１０は、図１に示す顕微鏡本体１の代わりに顕微鏡本体４０を備える。顕微鏡本体４０の外形及び内部構造は全体として顕微鏡本体１と同様であり、背面に設けられた開口部４１の形状のみが図１とは異なっている。また、顕微鏡本体４０に設けられたスペース１５内には、図１に示す蛍光ミラーターレット８よりも厚みが薄く、幅（光軸Ｌ２方向の長さ）が短い蛍光ミラーターレット４２が装着されている。さらに、この蛍光ミラーターレット４２に対応して、ターレット取り付け部４４が長く引き伸ばされた形状の落射照明装置４３が蛍光ミラーターレット４２に取り付けられている。従って、蛍光ミラーターレット４２及び落射照明装置４３の光軸Ｌ２は、図１に示す場合よりも図の下方にシフトしている。なお、蛍光ミラーターレット４２への落射照明装置４３の取り付け構造については、上述した実施の形態と同様である。
【００３９】
図７は、図６に示す倒立顕微鏡１１０の顕微鏡本体４０を背面側から見た平面図であり、落射照明装置４３を取り外した状態を示している。図７に示すように、顕微鏡本体４０の背面には、長穴形状をなす開口部４１が設けられている。或いは、開口部４１を楕円形状としても良い。また、開口部４１の周上には位置決め溝４５が設けられている。この位置決め溝４５は、開口部４１の長穴形状に合わせて、上下に引き伸ばされた形状をなしている。
【００４０】
開口部４１をこのような長穴形状（又は楕円形状）とすることにより、開口部４１を貫通させるターレット取り付け部４４の位置を所望の高さにシフトさせることができる。即ち、顕微鏡本体４０内に装着される蛍光ミラーターレット４２及びこれに取り付けられる落射照明装置４３の光軸Ｌ２の位置を上下方向に変更することが可能となる。例えば、図６及び図７の場合、光軸Ｌ２を開口部４１の中心軸Ｏよりも下方にシフトさせた状態で、顕微鏡本体４０に対する蛍光ミラーターレット４２及び落射照明装置４３の位置が決定される。
【００４１】
以上説明した変形例１によれば、顕微鏡本体４０に対する蛍光ミラーターレット４２及び落射照明装置４３の光軸Ｌ２を上下方向にシフトさせることができる。従って、蛍光ミラーターレット４２のサイズの変更や、顕微鏡本体４０に対する蛍光ミラーターレット４２の取り付け位置の変更にも柔軟に対応可能な倒立顕微鏡１１０を実現することが可能となる。これにより、蛍光ミラーターレット４２や落射照明装置４３の設計の自由度を向上させることも可能となる。
【００４２】
なお、本変形例１においては、開口部４１の周上に設けられる位置決め溝４５を上下に引き伸ばすことにより、光軸Ｌ２の位置の変化に対応させた。しかしながら、開口部４１に挿入する際の落射照明装置４３の光軸Ｌ２回りの方位を決定することができれば、位置決め溝４５は必ずしも設ける必要はない。この場合、落射照明装置４３側の位置決めピンを省略しても良い。
【００４３】
（変形例２）
次に、本実施の形態の変形例２について説明する。
図８は、変形例２に係る倒立顕微鏡の構成を模式的に示す側面図である。図８に示す倒立顕微鏡１２０は、図１に示す顕微鏡本体１の代わりに顕微鏡本体５０を備える。顕微鏡本体５０の外径及び内部構造は全体として顕微鏡本体１と同様であり、背面に設けられた開口部５１ａ、５１ｂの数及び配置が図１とは異なっている。また、顕微鏡本体５０には、該顕微鏡本体５０を一方の側面の側からくり抜いたスペース１６が設けられている。スペース１６の上部には、照明光及び観察光が通過可能な貫通孔１６ａが形成されている。
【００４４】
スペース１６内には、２つの蛍光ミラーターレット５２ａ、５２ｂが２段にわたって装着されている。これらの蛍光ミラーターレット５２ａ、５２ｂはそれぞれ、アリ溝式等による位置決め機構（図示せず）により、顕微鏡本体５０に対して位置決めされて固定されている。さらに、これらの蛍光ミラーターレット５２ａ、５２ｂには、落射照明装置５３ａ、５３ｂがそれぞれ取り付けられている。なお、蛍光ミラーターレット５２ａ、５２ｂへの落射照明装置５３ａ、５３ｂの取り付け構造については、上述した実施の形態と同様である。
【００４５】
図９は、図８に示す倒立顕微鏡１２０を背面側から見た平面図であり、落射照明装置５３ａ、５３ｂを取り外した状態を示している。図９に示すように、顕微鏡本体５０の背面には、蛍光ミラーターレット５２ａ、５２ｂの中心軸Ｌａ、Ｌｂを略中心とする開口部５１ａ、５１ｂが上下に並べて配置されている。また、各開口部５１ａ、５１ｂの円周上には、落射照明装置５３ａ、５３ｂの光軸回りの方位を決定するための位置決め溝５５ａ、５５ｂがそれぞれ設けられている。
【００４６】
このような変形例２によれば、顕微鏡本体５０の背面に複数の開口部５１ａ、５１ｂを設けておくことで、顕微鏡本体５０に装着される蛍光ミラーターレット５２ａ、５２ｂの数を容易に増減することが可能となる。また、落射照明装置５３ａ、５３ｂは、蛍光ミラーターレット５２ａ、５２ｂに対してそれぞれ、直接位置決めされるので、顕微鏡本体５０に設けられる開口部５１ａ、５１ｂの位置に対する厳密な精度は不要となる。従って、顕微鏡本体５０の設計を簡単にすることが可能となる。
【００４７】
（変形例３）
次に、本実施の形態の変形例３について説明する。
図１０は、変形例３に係る倒立顕微鏡の構成を模式的に示す側面図である。図１０に示す倒立顕微鏡１３０は、図１に示す顕微鏡本体１の代わりに顕微鏡本体６０を備える。顕微鏡本体６０の外形は全体として顕微鏡本体１と同様であり、背面に設けられた開口部６１の形状が図１とは異なっている。また、顕微鏡本体６０には、通常の蛍光ミラーターレットの２段分の高さに相当する大型の蛍光ミラーターレットを装着可能なスペース１７が設けられており、スペース１７の上部には、照明光及び観察光が通過可能な貫通孔１７ａが形成されている。さらに、顕微鏡本体６０の内部には、１つの蛍光ミラーターレット６２を装着する際に用いられるアリ溝式等による位置決め機構と、図８と同様に、２つの蛍光ミラーターレットを装着する際に用いられる同様の位置決め機構とが設けられている（いずれも図示せず）。
【００４８】
図１１は、顕微鏡本体６０を背面側から見た平面図であり、落射照明装置６３を取り外した状態を示している。図１１に示すように、開口部６１は長穴形状をなしている。また、開口部６１の側方の周上の２箇所には位置決め溝６２ａ、６２ｂが設けられている。これらの位置決め溝６２ａ、６２ｂは、顕微鏡本体６０に２つの蛍光ミラーターレットを装着する場合の各蛍光ミラーターレットの中心軸Ｌａ、Ｌｂの位置に対応して設けられている。
【００４９】
このように開口部６１を長穴形状とすることにより、顕微鏡本体６０内に２つの蛍光ミラーターレットを装着する場合と、大型の蛍光ミラーターレットを１つ装着する場合とで、１つの開口部６１を兼用することが可能となる。
【００５０】
例えば、図１０に示すように、顕微鏡本体６０に通常の蛍光ミラーターレットの２段分に相当する高さの蛍光ミラーターレット６２を装着する場合、開口部６１の中心軸Ｌｃ（即ち、蛍光ミラーターレットの中心軸）を狙って落射照明装置６３のターレット取り付け部６４を開口部６１に挿入し、蛍光ミラーターレット６２に取り付ければ良い。
【００５１】
一方、顕微鏡本体６０に２つの蛍光ミラーターレットを装着する場合には、位置決め溝６２ａ、６２ｂと同じ高さの中心軸Ｌａ、Ｌｂをそれぞれ狙って２つの落射照明装置を開口部６１に挿入し、２つの蛍光ミラーターレットにそれぞれ取り付ければ良い。
【００５２】
このような変形例３によれば、顕微鏡本体６０の背面に長穴形状をなす開口部６１を設けることにより、蛍光ミラーターレットの光軸の位置を上下方向に任意に変更することが可能となる。従って、顕微鏡本体６０内のスペースに応じて、大型の蛍光ミラーターレットを１つだけ装着したり、通常のサイズの蛍光ミラーターレットを複数装着するといった応用が可能となる。従って、蛍光ミラーターレットの設計の自由度を高くすることが可能となる。
【００５３】
なお、変形例３においては、顕微鏡本体６０に通常の蛍光ミラーターレット２段分のスペース１７を顕微鏡本体６０内に設けたが、３段以上の蛍光ミラーターレットを配置可能なスペースを設けても良い。この場合、顕微鏡本体６０の背面に設ける開口部６１の長径も拡大すると良い。
【００５４】
（変形例４）
次に、本実施の形態の変形例４について説明する。
図１２は、変形例４に係る倒立顕微鏡の構成を模式的に示す側面図である。図１２に示す倒立顕微鏡１４０は、図１に示す顕微鏡本体１の代わりに顕微鏡本体７０を備える。顕微鏡本体７０の外形及び内部構造は全体として顕微鏡本体１と同じであり、背面に設けられた開口部７１の外周側に、後述する落射照明装置７４を固定するための固定部材（後述）が設けられている点が図１とは異なっている。
【００５５】
顕微鏡本体７０の内部には、蛍光ミラーターレット７２が装着されている。蛍光ミラーターレット７２は、落射照明装置７４が嵌合される落射照明装置嵌合部７３を有している。
【００５６】
顕微鏡本体７０の外側には、図１に示す落射照明装置４よりも大型の落射照明装置７４が設置されている。落射照明装置７４は、光源本体部７４ａと、該光源本体部７４ａから延出するターレット嵌合部７５と、光源本体部７４ａ側のターレット嵌合部７５の周囲に設けられた顕微鏡本体連結部７６とを有する。ターレット嵌合部７５の先端は落射照明装置嵌合部７３に嵌合され、これにより、落射照明装置７４と蛍光ミラーターレット７２との位置合わせがなされている。また、顕微鏡本体連結部７６の一端部（光源本体側端部７６ａ）は光源本体部７４ａに締結され、他端部（顕微鏡本体側端部７６ｂ）は顕微鏡本体７０に締結され、これにより、落射照明装置７４は顕微鏡本体７０に対して固定されている。さらに、光源本体部７４ａには、該光源本体部７４ａを支持する支持部材７７が設けられている。
【００５７】
図１３は、顕微鏡本体７０を背面側から見た平面図であり、落射照明装置７４を取り外した状態を示している。図１３に示すように、開口部７１の両側には、固定部材７８が設けられている。固定部材７８には、ビスを螺合させるための雌ネジ部７９が形成されている。
【００５８】
図１４は、図１２のＢ−Ｂ断面図である。
蛍光ミラーターレット７２のターレット本体部７２ａには、落射照明装置７４から出射した照明光を通過させる開口７２ｂが設けられている。落射照明装置嵌合部７３は、この開口７２ｂの周囲に設けられている。落射照明装置７４は、光軸Ｌ２を開口７２ｂの中心軸と一致させるように取り付けられる。
【００５９】
開口７２ｂ周囲の面７３ａは開口７２ｂの中心軸と直交しており、落射照明装置７４の光軸Ｌ２方向における位置決めを行うための当て付け基準面となっている。また、落射照明装置嵌合部７３の内周面７３ｂは、落射照明装置４の光軸Ｌ２と直交する面内における位置決めを行うための当接基準面である。
【００６０】
一方、ターレット嵌合部７５は、顕微鏡本体７０の開口部７１に挿入可能な径を有する筒状の部材である。また、ターレット嵌合部７５の先端部は、落射照明装置嵌合部７３と嵌合される部分であり、ターレット嵌合部７５の先端面７５ａは、開口７２ｂ周囲の面７３ａに当てつけられる当て付け面となっている。また、ターレット嵌合部７５の先端周囲の側面７５ｂは、落射照明装置嵌合部７３の内周面７３ｂと嵌合する嵌合面となっている。
【００６１】
さらに、ターレット嵌合部７５の内周部には、光源本体部７４ａから出射した照明光を蛍光ミラーターレット７２に入射させる照明光学系として、視野絞り投影レンズ７５ｃ、７５ｄが配置されている。
【００６２】
落射照明装置７４を蛍光ミラーターレット７２に取り付ける際には、まず、ターレット嵌合部７５に顕微鏡本体７０の開口部７１に貫通させ、ターレット嵌合部７５の先端部をターレット本体部７２ａの開口７２ｂに挿入して、先端面７５ａを面（当て付け基準面）７３ａに当て付ける。これにより、ターレット嵌合部７５に対する光軸Ｌ２方向及び光軸Ｌ２と直交する面内における位置決めがなされる。
【００６３】
続いて、この状態で、顕微鏡本体連結部７６の顕微鏡本体側端部７６ｂを、顕微鏡本体７０に設けられた固定部材７８にビス８０を用いて締結する。それにより、落射照明装置７４が顕微鏡本体７０に固定される。
【００６４】
このような変形例４によれば、落射照明装置７４のターレット嵌合部７５を蛍光ミラーターレット７２に直接嵌合させるので、両者間における位置決め（光軸合わせ）を、容易且つ高精度に行うことができる。また、変形例４によれば、剛性の高い顕微鏡本体７０に対して落射照明装置７４を固定するので、落射照明装置７４のサイズ及び重量が大きい場合であっても、落射照明装置７４を安定して設置することが可能となる。
【００６５】
なお、上記変形例４において、顕微鏡本体連結部７６は、光源本体部７４ａから取り外すことができる。従って、落射照明装置７４のサイズや、取り付け先である蛍光ミラーターレットの装着位置やサイズ等に応じて、顕微鏡本体連結部７６を用いて落射照明装置７４を顕微鏡本体に固定するか、顕微鏡本体連結部７６を取り外して落射照明装置７４を蛍光ミラーターレットに固定するかを、ユーザが選択できるようにしても良い。
【００６６】
以上説明した実施の形態及び変形例１〜４においては、対物レンズ７ａと結像レンズ１０ａとの間に配置される光学装置として蛍光ミラーユニットを挙げ、該蛍光ミラーユニットに接続される光学装置として、蛍光ミラーユニットに照明光を導入する落射照明装置を挙げたが、本発明には、例示した蛍光ミラーユニット及び落射照明装置にも種々の光学装置を適用することができる。以下、適用可能な光学装置をさらに例示する。
【００６７】
（変形例５）
図１５は、変形例５に係る倒立顕微鏡の構成を模式的に示す側面図である。図１５に示す倒立顕微鏡１５０においては、図１と同様の顕微鏡本体１に、光路を折り曲げるミラーユニット９０ａを含むミラーターレット９０を装着し、該ミラーターレット９０から観察光を取り出す光学装置としてＣＣＤカメラ等の撮像装置９１を設置している。ミラーユニット９０ａには、対物レンズ７ａを通過した観察光を撮像装置９１の方向に反射する全反射ミラー又はハーフミラーが設けられている。
【００６８】
ミラーターレット９０と撮像装置９１とは、撮像装置９１側に設けられたターレット取り付け部９２と、ミラーターレット９０側に設けられた撮像装置取り付け部９３とを介して互いに接続されている。これらのターレット取り付け部９２と撮像装置取り付け部９３との間における取り付け構造については、上述した実施の形態と同様である（図１及び図５を参照）。或いは、変形例４と同様に、撮像装置９１を顕微鏡本体に固定する構造としても良い。
【００６９】
なお、この場合、試料Ｓを照射する照明光としては、透過照明装置３から出射される照明光を用いると良い。或いは、変形例２と同様に、顕微鏡本体に２段の光学装置を設け、一方の光学装置から落射照明光を出射して試料Ｓを照射し、他方の光学装置に観察光を導出して撮像を行うこととしても良い。
【００７０】
（変形例６）
図１６は、変形例６に係る倒立顕微鏡の構成を模式的に示す側面図である。図１６に示す倒立顕微鏡１６０においては、図１と同様の顕微鏡本体１に、光路を折り曲げるミラーユニット９５ａを含むミラーターレット９５を装着し、該ミラーターレット９５に照明光を導入すると共に、ミラーターレット９５から観察光を取り出す光学装置として、ディスクスキャンユニット（共焦点顕微鏡ユニット）９６を設置している。ミラーユニット９５ａには、ディスクスキャンユニット９６から導入された照明光を対物レンズ７ａの方向に反射すると共に、対物レンズ７ａを通過した観察光をディスクスキャンユニット９６の方向に反射する全反射ミラーが設けられている。
【００７１】
ミラーターレット９５とディスクスキャンユニット９６とは、ディスクスキャンユニット９６側に設けられたターレット取り付け部９７と、ミラーターレット９５側に設けられたディスクスキャンユニット取り付け部９８とを介して互いに接続されている。これらのターレット取り付け部９７とディスクスキャンユニット取り付け部９８との間における取り付け構造については、上述した実施の形態と同様である（図１及び図５を参照）。或いは、変形例４と同様に、ディスクスキャンユニット９６を顕微鏡本体に固定する構造としても良い。
【００７２】
以上説明した実施の形態は、本発明を実施するための例にすぎず、本発明はこれらに限定されるものではない。また、本発明は、各実施の形態や変形例に開示されている複数の構成要素を適宜組み合わせることによって、種々の発明を形成できる。本発明は、仕様等に応じて種々変形することが可能であり、更に本発明の範囲内において、他の様々な実施の形態が可能である。
【符号の説明】
【００７３】
１、４０、５０、６０、７０  顕微鏡本体
２  ステージ
３  透過照明装置
４、４３、５３ａ、５３ｂ、６３、７４  落射照明装置
４ａ  投光管
５  鏡筒
６  接眼部
７  レボルバ
７ａ  対物レンズ
８、４２、５２ａ、５２ｂ、６２、７２  蛍光ミラーターレット
８ａ  蛍光ミラーユニット
８ｂ、７２ｂ  開口
９、４１、５１ａ、５１ｂ、６１、７１  開口部
９ａ、４５、５５ａ、５５ｂ、６２ａ、６２ｂ  位置決め溝
１０  観察光学系
１０ａ、１０ｄ  結像レンズ
１０ｂ、１１ａ  ミラー
１０ｃ  リレーレンズ
１１  透過投光装置
１２  集光レンズ保持部
１３  集光レンズ
１４  アーム
１５、１６、１７  スペース
１５ａ、１６ａ、１７ａ  貫通孔
２０、７２ａ  ターレット本体部
２１  落射照明装置取り付け部
２２、３４  端面
２３、７３ｂ  内周面
２４  ビス孔
２５、７９  雌ネジ部
２６、８０  ビス
３０、７４ａ  光源本体部
３１、４４、６４、９２、９７  ターレット取り付け部
３２  開口挿入部
３３  位置決めピン
３５  ターレット挿入部
３６、７５ｂ  側面
３７  Ｖ溝
３８  先端部
３９、７５ｃ  視野絞り投影レンズ
７３  落射照明装置嵌合部
７３ａ  面（当て付け基準面）
７５  ターレット嵌合部
７５ａ  先端面
７６  顕微鏡本体連結部
７６ａ  光源本体側端部
７６ｂ  顕微鏡本体側端部
７７  支持部材
７８  固定部材
９０、９５  ミラーターレット
９０ａ、９５ａ  ミラーユニット
９１  撮像装置
９３  撮像装置取り付け部
９６  ディスクスキャンユニット
９８  ディスクスキャンユニット取り付け部
１００、１１０、１２０、１３０、１４０、１５０、１６０  倒立顕微鏡 
【図１】
0006032916.tif 000002
【図２】
0006032916.tif 000003
【図３】
0006032916.tif 000004
【図４】
0006032916.tif 000005
【図５】
0006032916.tif 000006
【図６】
0006032916.tif 000007
【図７】
0006032916.tif 000008
【図８】
0006032916.tif 000009
【図９】
0006032916.tif 000010
【図１０】
0006032916.tif 000011
【図１１】
0006032916.tif 000012
【図１２】
0006032916.tif 000013
【図１３】
0006032916.tif 000014
【図１４】
0006032916.tif 000015
【図１５】
0006032916.tif 000016
【図１６】
0006032916.tif 000017